Podtech/llm-jp-corpus-v4-ja_patent huggingface dataset:
(57)【要約】【課題】自局の車両番号情報と位置動態情報とを伝送する無線装置を備えた複数の移動局と、移動局からの情報を受信処理する基地局とを含む無線データ伝送システムにおいて、複数の移動局からの無線データの衝突の危険性を低減する。【解決手段】基地局からの地区ポーリング信号において、一定範囲の緯度・経度情報の他に、一定範囲の中心点情報を付加し、移動局にて該中心点情報からの自車位置までの距離の算出処理を行ない、動態・位置情報を無線データで送信するタイミングを制御することによって、無線データ上の衝突を減少させる。【選択図】　　　図３
2004096142.tif 000002
【特許請求の範囲】
【請求項１】
自局の車両番号情報と位置動態情報とを伝送する無線装置を備えた複数の移動局と、前記移動局からの情報を受信処理する基地局とを含む無線データ伝送システムにおいて、
前記複数の移動局からの無線データの衝突を減少させるように構成した地区エリアポーリング方式。
【発明の詳細な説明】
【０００１】
【発明の属する技術分野】
本発明は、タクシー配車システム等、複数の移動局と基地局とで構成される無線データ伝送システムにおける地区エリアポーリング方式に関するものである。
【０００２】
【従来の技術】
従来の地区エリアポーリング方式では、基地局が移動局の最新の動態・位置情報を得るために、基地局から一定範囲内に存在する移動局のデータを収集する地区エリアポーリングを行なう場合、基地局から全移動局に対し、一定範囲エリア情報として、緯度・経度の範囲情報を設定し、送信していた。
【０００３】
これを受信した移動局は、把握している自局の現在位置の緯度・経度情報と比較して、自局が一定範囲エリア内に所在しているか否かの判断処理を行ない、一定範囲エリア内に所在すると判断した場合には、基地局へ自局の動態・位置情報をランダムタイミングで送信していた。
【０００４】
基地局では、前記一定範囲エリア内の移動局から送信された動態・位置情報を受信し、地図画面表示等の処理を行なっていた。
【０００５】
【発明が解決しようとする課題】
従来の技術では、基地局で必要とする一定範囲の地区エリア内に多数の移動局が存在した場合に、移動局が送信する動態・位置情報の無線データが衝突する可能性が大きくなり、衝突が多く発生した場合、移動局の情報が正確に得られない問題点が有った。
【０００６】
本発明は、地区エリアポーリングを行なう場合、無線データの衝突を低減し、移動局からの情報を正確に受信することを目的とする。
【０００７】
【課題を解決するための手段】
本発明は、上記の目的を達成するために、基地局から一定範囲の緯度・経度情報の他に、一定範囲の中心点情報を付加し、移動局にて該中心点情報からの自車位置までの距離を算出処理を行ない、動態・位置情報を無線データで送信するタイミングを制御することにより、無線データ上の衝突を減少させ、基地局での移動局情報をより正確に表示できるようにしたものである。
【０００８】
【発明の実施の形態】
以下、本発明の一実施例を図１〜図３を参照して説明する。図１に示すように、移動局は、位置検出装置１、処理装置２、無線機３で構成され、基地局は、無線機４、信号処理装置５、表示装置６で構成される。
【０００９】
以下、本発明の一実施例の動作について説明する。基地局は、表示装置６において、図３の如く、移動局が所在する所要の一定範囲１３を表示中の地図画面１１上で設定する。次に、信号処理装置５において、緯度・経度の範囲データに変換した後、無線機４を経由して各移動局に対して、図２の地区エリアポーリングデータ９を送信する。
【００１０】
移動局は、基地局から受信した地区エリアポーリングデータ９を受信した後、処理装置２において、予め位置検出装置１にて把握している自車位置データと比較し、該当する範囲内に所在していれば、返送信号１０を無線機３経由で基地局に送信する。基地局では、無線機４、信号処理装置５で移動局からの返送信号１０を受信処理し、表示装置６に表示する。
【００１１】
次に、図２を参照して、基地局から送信する地区エリアポーリング信号と、移動局から返送される返送信号との送信タイミングについて説明する。基地局が指定した範囲内に多数の移動局が存在したとき、移動局が送信する返送信号が互いに衝突しない様、移動局の返送信号送信タイミングをスロットに分割し、そのスロットに合せてランダムに送信する。図２の例では、１５スロットに分割し、該当する移動局はＡ１〜Ａ１５のいずれかのタイミングで送信することにより、返送信号の衝突を少なくすることができる。
【００１２】
本発明の実施例では、基地局で一定範囲１４の緯度・経度データを移動局に送信する時に、図３に示すように、中心点１５の緯度・経度データも同時に送信する。
【００１３】
移動局では、一定範囲に存在する条件の他に、中心点から自車位置までの距離も算出する。この距離の条件を、返送信号を送信するタイミングに加える。例えば、中心点から近い車両は、スロットＡ１〜Ａ５でのランダム化、中心点から中距離に所在する車両はスロットＡ６〜Ａ１０でのランダム化、中心点から遠距離である場合は、スロットＡ１１〜Ａ１５でのランダム化というように複数段階に分けて送信タイミングのランダム化を行なうことで、移動局の返送信号の互いの衝突を減少させることができる。
【００１４】
【発明の効果】
従来の方式では、基地局で指定する一定範囲のエリア内に多数の移動局が存在した場合、移動局の返送信号の衝突が発生し、移動局の動態・位置を正確に把握することができなかった。
【００１５】
また、従来の方式では、一定範囲の中で中心点により近い車両と遠い車両に区別なく返送信号の衝突が発生し、基地局で最も必要とされる中心点に近い車両を正しく表示させることができなかった。
【００１６】
本発明によれば、一定範囲のエリア内に多数の移動局が存在した場合でも、移動局の返送信号の衝突を低減させることができると共に、中心点に近い車両も表示させることができる効果を有する。
【図面の簡単な説明】
【図１】本発明の一実施例のシステム構成を示すブロック図。
【図２】本発明の一実施例を示すタイミングチャート。
【図３】本発明の一実施例による基地局の表示装置の表示を示す図。
【符号の説明】
１：位置検出装置、２：処理装置、３：無線機、４：無線機、
５：信号処理装置、６：表示装置、７：基地局送信タイミング、
８：移動局送信タイミング、９：地区エリアポーリング信号、１０：返送信　号、１１：表示装置画面、１２：表示装置画面、１３：一定範囲エリア、
１４：一定範囲エリア、１５：中心点。
【図１】
2004096142.tif 000003
【図２】
2004096142.tif 000004
【図３】
2004096142.tif 000005
(57)【要約】【目的】本発明は、ビデオカメラに関するもので、車に乗っている運転手もしくは助手席の人の視点近く、または運転状況等が、確認できる位置に、撮像部を設けた、ビデオカメラを提供することを目的とする。【構成】車の運転手もしくは、助手席の人の視点近く、または運転状況等が、確認できる位置に、可動式支持部３の上に、撮像部１、マイク部２を設ける。撮像部１、マイク部２は接続コード６により記録、表示、再生ができる表示部４及び記録部５と接続される。撮影の際には、映像は撮像部１より取り込まれ表示部４で表示、記録部５で記録され、音声はマイク部３より取り込まれ、記録部５で記録される。【選択図】　図１
2004096701.tif 000002
【特許請求の範囲】
【請求項１】
車の運転手もしくは、助手席の人の視点近く、または運転状況等が、確認できる位置に、マイク部と撮像部を設け、また任意の場所に設けた表示部及び、記録部とマイク部及び撮像部を、接続コードによって接続したビデオカメラ。
【請求項２】
マイク一体型の撮像部を、車の運転手及び助手席の人の頭部に装着することの出来る構成にした、請求項１記載のビデオカメラ。
【発明の詳細な説明】
【０００１】
【産業上の利用分野】本発明は、車の運転手もしくは助手席の人の視点近く、または運転状況等が、確認できる位置に、撮像部を設けた、ビデオカメラに関するものである。
【０００２】
【従来の技術】車に乗りながら、ビデオカメラで景色、運転状況等を撮影するときは、同乗者がいないと、撮影することが困難であった。
【０００３】以下に従来のビデオカメラについて図３を用いて説明する。図３は従来のビデオカメラの構成を示すものである。図３において、１は撮像部である。４は表示部で、撮影している映像を表示する。２はマイク部で、音声を取り込む。５は記録部で、映像と音声を記録、再生する。撮像部１、表示部４、マイク部２及び記録部５は、すべて一体化されている。
【０００４】以上のように構成されたビデオカメラの動作について、以下説明する。まず、撮像部１において撮影された映像を表示部４と記録部５に伝送する。伝送された映像信号は、表示部４で表示され記録部５で記録される。
また、音声はマイク部２で取り込まれ、記録部５に伝送され、記録部５にて記録される。
【０００５】
【発明が解決しようとする課題】しかしながら、前記の図３のような従来の構成では、撮像部１を含むすべての部分を、同乗者である撮影者が手に持つことになり、手ブレにより映像がブレる。さらに運転者一人では、撮影することが困難であった。
【０００６】本発明は、上記全ての問題に鑑み、両手を自由にしながらにして撮影することができ、また運転者一人でも、撮影できるビデオカメラを提供するものである。
【０００７】
【課題を解決するための手段】上記問題を解決するために、本発明のビデオカメラは、車の運転手もしくは、助手席の人の視点近く、または運転状況等が、確認できる位置に、マイク部及び撮像部を併せ持つものである。
【０００８】
【作用】本発明は、上記した構成によって、撮像部が車の運転手もしくは助手席の人の視点近く、または運転状況等が、確認できる位置にあるので、ほぼ運転手及び助手席の人が見たままの映像を撮影する事が出来る。
【０００９】
（実施例１）まず、本発明の第１の実施例について、図面を参照しながら説明する。
【００１０】図１において、１は撮像部、２は音声を取り込むマイク部、３は可動式支持部、４は撮影した映像を表示する表示部、５は映像と音声を記録、再生する記録部、６は撮像部１及びマイク部２と、記録部５及び表示部４を接続する接続コードである。７はリモコン、８はスピーカーである。
【００１１】以上のように構成されたビデオカメラについて、図２を用いてその動作を説明する。電源を入れると撮像部１で撮影された映像は、表示部４に表示される。可動式の支持部３で表示部４を見ながら撮像部１をフロントウィンドウから見える景色、および運転状況（スピードメーター）等が入るようにあわせる。表示部４では、バックライトユニット１０による光源を用いて、液晶パネルユニット１１に、撮像した映像を映し出し、光学系ユニット１２により、必要に応じてその映像の焦点距離決定を行い表示するので、撮影者（運転者）は、撮影物（前方）と必要に応じて表示部４を見ながら撮影することができる。撮影する際には記録部５の録画ボタンもしくはリモコン７の録画ボタンを、押すことにより撮影が開始され、映像と音声信号が、接続コード６を通り記録部５に伝送され、記録部５にて記録される。
【００１２】以上のように本実施例によれば、撮像部を運転手もしくは助手席の人の視点近く、または運転状況等が、確認できる位置にあわせる事で車の進行方向の景色等を撮影することができる。また、撮影の為の同乗者がいなくても良い。
【００１３】（実施例２）次に本発明の第２の実施例について、図面を参照しながら説明する。図４は、本発明の第２の実施例を示すビデオカメラの斜視図である。図４において、４は表示部、５は記録部、６は接続コードで、以上は図１の構成と同様なものである。図１の構成と異なるのは、撮像部１と、マイク部２を一体型にしたものを頭部に装着できる構成にした点である。また、必要に応じて装着用バンド９をつけても良い。
【００１４】上記のように構成されたビデオカメラについて、図５を用いて以下その動作を説明する。動作は図２による構成の動作とほぼ同じで、異なる点は、撮影用のマイク部２と一体となった撮像部１を頭部に装着できる構成にした為、撮影者が向いた方向を撮影することができる。
【００１５】以上のように、マイク一体型撮像部の本体を、頭部装着型にしたことにより、より的確な撮影ができることになる。
【００１６】なお、第１，２の実施例において、接続コード６は有線伝送としたが、無線伝送としてもよい。また記録部５を本体と一体化しても良い。
【００１７】
【発明の効果】以上のように、本発明のビデオカメラは、マイク一体型の撮像部を、車の運転手もしくは助手席の人の視点近く、または運転状況等が、確認できる位置に、設置するので同乗者なしに、車に乗りながら、景色、運転状況等を、撮影することができる。
【図面の簡単な説明】
【図１】本発明の第１の実施例におけるビデオカメラの斜視図
【図２】第１の実施例のビデオカメラの動作を説明するための斜視図
【図３】従来のビデオカメラの斜視図
【図４】本発明の第２の実施例における頭部装着型にした斜視図
【図５】本発明の第２の実施例の動作を説明するための斜視図
【符号の説明】
１　撮像部
２　マイク部
３　可動式支持部
４　表示部
５　記録部
６　接続コード
７　リモコン
８　スピーカー
９　装着用バンド
１０　バックライトユニット
１１　液晶パネルユニット
１２　光学系ユニット
１３　運転席シート
【図１】
2004096701.tif 000003
【図２】
2004096701.tif 000004
【図３】
2004096701.tif 000005
【図４】
2004096701.tif 000006
【図５】
2004096701.tif 000007
(57)【要約】【課題】スピーカーユニットを設置するにあたり，天井や床のコーナーなどの部屋の形状にあわせてスピーカーユニット（２）の形を成形し，天井・床・壁などと一体化するように設置することで，省スペース・高い音響効果を得るスピーカーシステムを提供する。【解決手段】部屋の形状にあわせてスピーカーユニット（２）を成形する。スピーカーユニットを部屋の形状にあわせてできるだけぴったりと設置することで、省スペース・高い音響効果を得ることができる。【選択図】　図１
2004096712.tif 000002
【特許請求の範囲】
【請求項１】
天井や床のコーナーなどの部屋の形状にあわせてスピーカーユニット（２）の形を成形し，天井・床・壁などと一体化するように設置することで，省スペース・高い音響効果を得るスピーカーユニット
【発明の詳細な説明】
【０００１】
【発明の属する技術分野】
この発明は，天井や床のコーナーなどの形状にあわせてスピーカーユニット（２）を成形し，コーナーにできるだけぴったりと配置することで天井・床・壁と体化させ，スピーカーユニットの設置場所の省スペース，音響効果の改善を図ったものである。
【０００２】
【従来の技術】
従来の据え置き式，つり下げ式スピーカーユニットは設置の際，部屋の形状と一体化することが難しかった。従って，天井や壁などとの間にデッドスペースができ，それが音響的にも悪影響をおよぼした。
【０００３】
【発明が解決しようとする課題】
従来のスピーカーユニットを設置するときにはつぎのような欠点があった。
（イ）設置するとスピーカーユニット自身の置き場所や、スピーカーユニットと壁・天井等との間に生じたデッドスペースにより、居住空間を狭くする。
（ロ）デッドスペースにより音響効果に悪影響が生じる。
（ハ）音質がスピーカーユニット前面の大きさに左右され、高音質・臨場感を追求するためには大型化する必要がある。
本発明は，以上のような欠点をなくすためになされたものである。
【０００４】
【課題を解決するための手段】
スピーカーユニット（２）の形状を部屋の形状と合わせて成形する。部屋の形状とぴったり合わせて設置する。本発明は，以上の構成よりなるスピーカーユニットである。
【０００５】
【発明実施の形態】
以下，本発明の実施の形態について説明する。
スピーカーユニット背面（２）の形状を，設置しようとする場所の形状と同じになるように作る。できたスピーカーユニットを設置場所に一体化するように設置する。本発明は，以上のような構造でこれを使用するときは，できるだけ生活にじゃまにならない場所（天井のコーナー等）に設置すれば省スペース・高い音響効果を得ることができる。
【０００６】
【発明の効果】
天井のコーナー等に設置することで省スペースとなり，部屋を有効利用することができる。スピーカーユニット前面（１）と天井面や壁面等が一体化するため，天井面や壁面全体がスピーカーユニット前面の役割をはたし，著しい音響効果を示す。オーディオやホームシアター・大型テレビが普及する中で本発明は部屋全体を音場で包み込み，臨場感あふれるオーディオライフを楽しむために，重要な役割をはたすものである。
【図面の簡単な説明】
【図１】一般的な天井のコーナー（３面が直角で交わっている場合）の形にあわせて作製・設置・使用したイメージ図
【図２】一般的な天井のコーナー（３面が直角で交わっている場合）の形にあわせて作製したスピーカーユニットの斜視図
【図３】一般的な天井のコーナー（３面が直角で交わっている場合）の形にあわせて作製したスピーカーユニットの前面図
【図４】一般的な天井のコーナー（３面が直角で交わっている場合）の形にあわせて作製したスピーカーユニットの側面断面図
【符号の説明】
１　スピーカーユニット前面
２　スピーカーユニット後面（天井・壁等との接地面）
３　スピーカー（ウーハー・ツィーター等）
【図１】
2004096712.tif 000003
【図２】
2004096712.tif 000004
【図３】
2004096712.tif 000005
【図４】
2004096712.tif 000006
(57)【要約】【課題】携帯電話機の外観形状をすっきりさせ、携帯電話機の小型化を目的とする。【解決手段】課題を解決するために本発明は、携帯電話機の外部に突き出す送受共用のホイップアンテナと、携帯電話機内部の受信専用アンテナを、プリント基板上に備え付けている折りたたみ式ダイバーシティ方式携帯電話機の内蔵アンテナ構造において、前記外部に突き出す送受共用のホイップアンテナと前記受信専用アンテナの両者の機能をひとつにしたアンテナを、該電話機の折りたたみ自在のヒンジ部に埋設してあることを特徴とする携帯電話機の内蔵アンテナ構造により課題を解決する。【選択図】　図１
2004096302.tif 000002
【特許請求の範囲】
【請求項１】
携帯電話機の外部に突き出す送受共用のホイップアンテナと、携帯電話機内部の受信専用アンテナをプリント基板上に備え付けている折りたたみ式ダイバーシティ方式携帯電話機の内蔵アンテナ構造において、
前記外部に突き出す送受共用のホイップアンテナと、前記受信専用アンテナの両者の機能をひとつにしたアンテナを、該電話機の折りたたみ自在のヒンジ部に埋設してあることを特徴とする携帯電話機の内蔵アンテナ構造。
【発明の詳細な説明】
【０００１】
【発明の属する技術分野】
本発明はダイバーシティ方式の携帯電話機の内蔵アンテナ構造に関する。
【０００２】
【従来技術】
最近主流の携帯電話機は、一般的にダイバーシティ方式の通信形態を取っている。ダイバーシティー方式とは、携帯電話端末に届く電波は、直接基地局から届くものもあれば、建物などの障害物に跳ね返ってから届くものもあり、そのルートはさまざまであり、これらの波は、跳ね返った分、タイミング的にずれて届く。このずれた波が互いに干渉し合って、端末に届く電波は強くなったり、弱くなったりを一定の周期で繰り返してしまう現象が「フェージング」であり、このフェージング現象を改善する受信方式がダイバーシティー方式である。
【０００３】
従って、ダイバーシティとは、受け取る２つ以上の電波を合成したり、あるいは切り換えることで、受信電波のレベルの揺れを少なくする技術を利用し携帯電話の通信を行っている。そのために携帯電話機には、図２に示すような外部に突き出す送受共用のホイップアンテナと携帯電話機内部の受信専用アンテナが備わっている。
【０００４】
【発明が解決しようとする課題】
上述する構成の従来のダイバーシティ方式携帯電話機の内蔵アンテナ構造は次のような利点と欠点を備えている。
従来の特に携帯電話機の外部に突き出す送受信共用のホイップアンテナは、外部に突き出しているが故に、通信品質の維持と安定性を向上することができる。しかしその反面、携帯電話機に突出部（アンテナ部分）ができるなどデザイン的な欠点を持つのが現状にある。
【０００５】
【課題を解決するための手段】
上記目的を達成するために本発明は、携帯電話機の外部に突き出す送受共用のホイップアンテナと携帯電話機内部の受信専用アンテナを、プリント基板上に備え付けている折りたたみ式ダイバーシティ方式携帯電話機の内蔵アンテナ構造において、前記外部に突き出す送受共用のホイップアンテナと、前記受信専用アンテナの両者の機能をひとつにしたアンテナを、該電話機の折りたたみ自在のヒンジ部に埋設してあることを特徴とする携帯電話機の内蔵アンテナ構造である。
【０００６】
要するに従来の携帯電話機の外部に突き出す送受信共用のホイップアンテナを携帯電話機の内部に収納し、外観・デザインを改良したことを特徴とするものである。そして、この内部のアンテナにはダイバーシティー方式の通信機能を供え、更には、最近主流となる二つ折りの携帯電話機のヒンジ部にアンテナを埋設したものである。
【０００７】
なお、本発明については、特開平１０−３０８６１８号公報のような携帯電話機のアンテナ構造に関する従来技術がある。同公報によれば、特性の劣化を防止し、プリント基板上の実装効率及び生産性を向上した携帯電話機内蔵アンテナ構造を提供することを目的とするもので、携帯電話機の外部に突き出す送受共用のホイップアンテナと携帯電話機内部の受信専用アンテナを、プリント基板上に備え付けているダイバーシティ方式携帯電話機の内蔵アンテナ構造における、前記プリント基板はフレキシブル基板により折りたたみ自在に接続された二片からなり、該フレキシブル基板上に受信専用のストリップラインアンテナを形成することを特徴とするものである。
【０００８】
本願発明は上記公報とは異なり、主に外観的な改良として、携帯電話機の外部に突き出す送受信共用のホイップアンテナの機能と、携帯電話機の内部のアンテナの機能を全て携帯電話機内部の主にヒンジ部に埋設したアンテナに集約することで、外観・デザインを改良したものである。
【０００９】
【発明の実施の形態】
以下、添付図面に従ってこの発明の実施例を説明する。なお、各図において同一の符号は同様の対象を示すものとする。図１は本発明による内蔵アンテナ構造の概略構成を説明する平面図である。
【００１０】
本発明の内蔵アンテナ構造は、２つに折りたたみできる携帯電話機の二片をつなぐヒンジ部２に通信用のアンテナ１を配置したことを特徴とするものである。従って、二片（携帯電話機の１片３、携帯電話機の他片４）に分割された携帯電話機の内部基板を電気的に接続しているフレキシブル基板上の導体パターンの一部分から、アンテナ１に接続される信号線で接続されているものである。
【００１１】
このことが、携帯電話機の外部に突き出す送受共用のホイップアンテナと、携帯電話機内部の受信専用アンテナを、プリント基板上に備え付けている折りたたみ式ダイバーシティ方式携帯電話機の内蔵アンテナ構造における、前記外部に突き出す送受共用のホイップアンテナと前記受信専用アンテナの両者の機能をひとつにしたアンテナ１を該電話機の折りたたみ自在のヒンジ部２に埋設してあることを特徴とする携帯電話機の内蔵アンテナ構造である。
【００１２】
なお、アンテナ１としては携帯電話機のヒンジ部分に、携帯電話機の幅方向にアンテナ１を埋設することで、アンテナ１としての有効長を確保しながら、携帯電話機そのものが外部に突き出す送受信共用のホイップアンテナを備える必要が無く、外観的に良好な形態を実現するものである。
また、本発明で用いるアンテナは、ダイバーシティー方式による受信を効率良く実現するための送受信特性を持ったアンテナ構造を有しているのは言うまでもない。
【００１３】
【発明の効果】
上述のように、本発明の内蔵アンテナ構造は主に外観的な改善を得ることができ、日常の携帯にも突出部が無くすっきりした形態を得ることができる。また、携帯電話機の外形を小型化する上でも大きな効果を上げられる。
【図面の簡単な説明】
【図１】本発明による内蔵アンテナ構造の概略構成を説明する平面図である。
【図２】従来の携帯電話機のアンテナ構造の概略構成を説明する平面図である。
【符号の説明】
１　　　アンテナ
２　　　ヒンジ部
【図１】
2004096302.tif 000003
【図２】
2004096302.tif 000004
(57)【要約】【課題】樹脂封止型半導体装置内部にトランス、チョーク等の部品を内蔵することにより、小型で信頼性が高く、実装工数不要な樹脂封止型半導体装置を供給する。【解決手段】半導体チップ上に絶縁シートをもうけ、その上部に磁性材を搭載接着し、前記磁性材を取り囲むようにしてボンディングワイヤで前記半導体チップパターン間を接続して、樹脂で封止する。請求項２は前記磁性材はドーナッツ型で、ドーナッツ内側とドーナッツ外側で前記磁性材をまたぐようにして、ボンディングワイヤで半導体チップパターン間を接続したことを特徴とした請求項１の樹脂封止型半導体装置。【選択図】図１
2004096028.tif 000002
【特許請求の範囲】
【請求項１】
半導体チップの必要個所をリードと電気的に接続し、樹脂でモールドする半導体装置において、前記半導体チップ上に絶縁シートをもうけ、その上部に磁性材を搭載接着し、前記磁性材を取り囲むようにしてボンディングワイヤで前記半導体チップパターン間を接続して、樹脂で封止した事を特徴とした樹脂封止型半導体装置。
【請求項２】
前記磁性材はドーナッツ型で、ドーナッツ内側とドーナッツ外側で前記磁性材をまたぐようにして、ボンディングワイヤで前記半導体チップパターン間を接続したことを特徴とした請求項１の樹脂封止型半導体装置。
【発明の詳細な説明】
【０００１】
【産業上の利用分野】
本発明は巻き線部品を搭載した樹脂封止型半導体装置を供給するものである。
【０００２】
【従来の技術】
従来の樹脂封止型半導体装置は、トランス、チョーク等の部品はみな外付けであった。そのため、実装面積が必要で、装置を小型化するときのさまたげになった。また実装の工数がかかり、またノイズ等の影響も考慮しなければならなかった。例えば特許文献１図１のように、コイル１２ａ〜１２ｃは、半導体チップ１３ｂに対して外付けであった。
【０００３】
【特許文献１】
特開平１０−２４７７１９　図１
【発明が解決する課題】
本発明は、樹脂封止型半導体装置内部にトランス、チョーク等の部品を内蔵することにより、小型で信頼性が高く、実装工数不要な樹脂封止型半導体装置を供給するものである。
【０００４】
【課題を解決するための手段】
本発明は、半導体チップ上に絶縁シートをもうけ、その上部に磁性材を搭載接着し、前記磁性材を取り囲むようにしてボンディングワイヤで前記半導体チップパターン間を接続して、樹脂封止型半導体装置内部にコイル部品を設けた。コイルの巻き線は通常ボンディングワイヤを用いた。請求項２の発明はドーナッツ型の磁性材を用いたことを特徴とし、ドーナッツ内側とドーナッツ外側で前記磁性材をまたぐようにして、樹脂封止型半導体装置内部にコイル部品を設けた。
【０００５】
【発明の実施の形態】
図１は本発明の一実施例拡大図である。図において１　半導体チップ、２　磁性材料　３　ドーナツ型磁性材料　４　ワイヤ、５　絶縁シート、６　樹脂、７　リードである。
【０００６】
このような、半導体装置を製造する場合は、▲１▼　リードフレーム（図示せず）に半導体チップを搭載し接着剤等で固定する。▲２▼　絶縁シートを半導体チップ１上に搭載し接着する。▲３▼　磁性材を絶縁シート上に搭載し接着する。▲４▼　磁性材を取り囲むようにしてボンディングワイヤで前記半導体チップパターン間を接続し、チョークトランス等の巻線部品を製造する。チップパターンはＩＣ保護膜下に作られ、アルミ、銅等の電極パターンである。
【０００７】
磁性材はフェライトコアを用いた。形状はドーナツ型でも四角状でも、半円柱状でもよい。
【０００８】
ボンディングワイヤは、金、銅、アルミ等通常のワイヤボンディングと同じ材料のもので、他のワイヤボンディング工程と同時におこなうことができる。図３はドーナッツ型磁性材料を使用した本発明の他の実施例図である。図４は半導体チップパターン図である。
【０００９】
【発明の効果】
本発明は、簡単にチョーク、トランス等の巻き線部品を内蔵した樹脂封止型半導体装置を供給する。外付け部品がいらないぶん、装置全体を小型化し、装置実装工数を省略でき、樹脂のなかに部品が内蔵されているので、ノイズの影響等も考慮する必要がなく産業上利用価値大なるものである。
【図面の簡単な説明】
【図１】本発明一実施例拡大図
【図２】本発明一実施例全体図
【図３】本発明他の実施例
【図４】半導体チップパターン図
【符号の説明】
１　半導体チップ
２　磁性材料
３　ドーナツ型磁性材料
４　ワイヤ
５　絶縁シート
６　樹脂
７　リード
【図１】
2004096028.tif 000003
【図２】
2004096028.tif 000004
【図３】
2004096028.tif 000005
【図４】
2004096028.tif 000006
【手続補正書】
【提出日】平成14年9月4日(2002.9.4)
【手続補正１】
【補正対象書類名】図面
【補正対象項目名】図３
【補正方法】変更
【補正の内容】
【図３】
2004096028.tif 000007
(57)【要約】【目的】コーヒー等を内蔵するディスク型フィルター【構成】樹脂または紙製の穴のあいたディスク、両面に張り付ける不織布製フィルター、内部に充填されるコーヒーなどで構成される。【選択図】　図１
2004008609.tif 000002
【特許請求の範囲】
【請求項１】
ディスク状のフィルターの中に、コ−ヒー、紅茶、緑茶などを内蔵し専用器具で簡単に抽出できる飲料抽出用フィルター
【発明の詳細な説明】
【０００１】
【発明が解決しようとする課題】
従来、レギュラーコーヒーなどの自動販売機は、コーヒーミルやフィルターを装備し、機構が複雑になるとともに、保健衛生上の問題から、洗浄や殺菌などの問題があり、機械のコストアップと共に、設置場所が限定されるという欠点があった。また、卓上型のコーヒードリッパー等も、抽出後の後始末が煩わしい欠点があった。そして、類似のコーヒーバッグ等は、袋から取り出したり、カップにセットする手間があり、自動化に向いていなかった。
【０００２】
【課題を解決するための手段】
そこで、中央に穴のあいた樹脂または紙製のディスク両面に、不織布のフィルターを張り付け、その内部にコーヒーなどを入れたフィルターを考案した。そのフィルターを専用のドリッパーにセットすることにより、簡単にフィルターのセット、抽出、フィルターの廃棄ができるようにした。また、給湯と共に、空気を吹き込む機構も追加し、空気圧の高低によって、ドリップの時間を変え、抽出コーヒーの濃度を調節できるようにした。
【０００３】
【発明の効果】
その結果、抽出は単純にお湯を注ぐだけで良く、抽出後にはそのフィルターを廃棄するだけで良いことになり、抽出機構の単純化およびコストダウンが可能になった。また、特徴はその平坦な構造にあり、多数のフィルターを単純に重ねて保管できることと、重ねることで密閉度を保ち、風味や味の劣化を防げることである。従って、密閉した筒の中に重ねた状態で保管しておき、必要なときに最下部のディスク状フィルターを取りだし、お湯を注ぐだけで、新鮮なコーヒー等の抽出が可能になった。また、従来の自動抽出型の自動販売機では、コーヒー以外に紅茶や緑茶を販売しようとすると、抽出機構が複雑になったが、本フィルターを利用すれば、簡単に複数の種類の飲料が販売できるようになる。
【図面の簡単な説明】
【図１】全体の構成図である。
【符号の説明】
１　不織布を両面に張り付けたディスク型フィルター
２　フィルター内部のコーヒーなどの収納部分
３　給湯用配管部
４　給気用配管部
５　ドリップ時のディスク型フィルター
６　給湯用ボディ
７　ベースプレートおよびドリップ部
【図１】
2004008609.tif 000003
(57)【要約】【目的】コーヒーなどを内蔵し、取り付けたまま抽出できるフィルターを内蔵した紙コップ用蓋【構成】紙コップ用成形蓋、蓋のコーヒー等の収容部、フィルターで構成される【選択図】　図１
2004008610.tif 000002
【特許請求の範囲】
【請求項１】
コーヒーなどを内蔵し、取り付けたまま抽出できるフィルターを内蔵した紙コップ用蓋
【発明の詳細な説明】
【０００１】
【発明が解決しようとする課題】
自動販売機でレギュラーコーヒーを販売しようとすると、保健衛生上の問題が多く、機械のコストが非常に高くなっていた。また、従来から紙コップにレギュラーコーヒーやフィルターなどをセットした商品もあり、これであれば完成商品として自動販売機でも販売できるのだが、いずれもパッケージを破り、フィルターやコーヒーをセットする手間がかかっていた。
【０００２】
【課題を解決するための手段】
そこで、紙コップの蓋にコーヒーなどを内蔵できるフィルターを取り付け、かつパッケージ外装のままで、抽出できるシステムを考案した。紙コップの蓋は従来からファーストフード店などで利用されているが、その中央部にフィルターとコーヒーなどを内蔵できる空間を設けた。また、外周部には１カ所の飲み口と外部を一周する溝があり、抽出時の空気抜きとして機能するようになっている。
【０００３】
【発明の効果】
この蓋を装着した紙コップと専用の給湯器具を利用すると、外装フィルムを装着したままで、給湯することが可能になる。給湯部の先端および外周の溝と接する部分に、フィルムを破断させる刃がついており、フィルムをカットすると同時に給湯できるようになる。従って、衛生上の問題なく、入れ立てのレギュラーコーヒーなどを、自動販売機で販売できるようになる。また、外周部の溝は、給湯時の空気抜きとして作用する。また、飲用時には飲み口周辺のフィルムを除去するだけで良いため、移動中でも内容物をこぼしたりすることなく飲むことができる。
【図面の簡単な説明】
【図１】全体の構成図である。
【符号の説明】
１　紙コップ蓋本体
２　フィルターおよびコーヒー等の収容部
３　飲用口
４　外周の空気抜き用溝
５　紙コップ
【図１】
2004008610.tif 000003
(57)【要約】【目的】コーヒー等を内蔵するペットボトル用フィルター【構成】樹脂製のキャップ、キャップと一体になる抽出用フィルター、フィルターを水から隔離する二重カバーなどから構成される。【選択図】　図１
2004008611.tif 000002
【特許請求の範囲】
【請求項１】
筒状のフィルターの中に、コ−ヒー、紅茶、緑茶などを収容しペットボトルに取り付けた状態で、簡単に抽出できる飲料抽出用フィルター
【発明の詳細な説明】
【０００１】
【発明が解決しようとする課題】
従来、レギュラーコーヒーなどの自動販売機は、コーヒーミルやフィルターを装備し、機構が複雑になるとともに、保健衛生上の問題から、洗浄や殺菌などの問題があり、機械のコストアップと共に、設置場所が限定されるという欠点があった。また、一般の缶コーヒーは、いろいろな種類があるにもかかわらず、抽出から販売までに時間が経過するためどうしても味が悪くなる欠点があった。
【０００２】
【課題を解決するための手段】
そこで、ペットボトルのキャップに、不織布や樹脂製のフィルターを取り付け、その内部にコーヒーなどを入れたものを考案した。そのフィルター付きキャップを樹脂製の二重カバーと共に、ペットボトルに取り付けた状態で、加熱販売が可能なようにした。
【０００３】
【発明の効果】
その結果、すでに設置されている自動販売機で、レギュラーコーヒーなどの販売が可能になり、レギュラーコーヒーの自動販売機のように新たな投資をせずに、入れ立てのコーヒーを簡単に味わえるようになった。自動販売機から、取り出した後、いったんキャップをはずし、二重カバーのみを取り去り、再度キャップをして少し振る程度で、簡単にコーヒーなどの抽出が可能である。その濃さは、抽出時間によって加減でき、粉末ミルクや砂糖についても、フィルター内にあらかじめ混ぜておくことで、他種類の飲料を販売することができるようになった。また抽出が終わったあとは、単にフィルターを廃棄するだけでキャップはそのまま使えるため、ペットボトルの利点を損なうこともない。
【図面の簡単な説明】
【図１】全体の構成図である。
【符号の説明】
１　フィルターを取り付けられるキャップ
２　コーヒーなどを収納できるフィルター部分
３　フィルターを水から隔離する二重カバー
【図１】
2004008611.tif 000003
(57)【要約】【課題】真の３次元効果を有するジグソーパズルを提供すること。【解決手段】３次元のジグソーパズルは、突出部と切欠部とを備えた小片を有する。それぞれの隣接する２つの小片の突出部と切欠部とは互いに対応する。各小片は球体の接線部分であるため、小片が全部組み合わされたとき球体が形成される。【選択図】　図１
2004008613.tif 000002
【特許請求の範囲】
【請求項１】
複数の小片からなる球体の３次元ジグソーパズルであって、各小片は、上方側縁部及び下方側縁部を有する側面と、突出部及び切欠部とを有し、前記球体の半径は前記下方側縁部及び上方側縁部を経過し、隣接する２つの前記小片の突出部と切欠部とは互いに対応し、全小片が組み合わされたとき前記球体が形成される３次元ジグソーパズル。
【請求項２】
各小片は単一の厚さを有する、請求項１に記載の３次元ジグソーパズル。
【発明の詳細な説明】
【０００１】
【発明の属する技術分野】
本発明は３次元ジグソーパズル、特に、複数の小片と中空の内部とからなる３次元ジグソーパズルに関する。各小片は、前記ジグソーパズルが完成したとき完全なパターンを形成できるように、隣接する小片の切欠部及び突出部にそれぞれ対応する突出部および切欠部とを有する。
【０００２】
【従来の技術】
ジグソーパズルは、子供にとって、また大人にとっても人気のある玩具である。従来のジグソーパズルは、一般に小片に切断された平面状の絵を有し、元の絵を再生するためにその小片が嵌め合わされる。パズルの小片の量は製造者によって変えることができるため、消費者の要求に見合った様々なパズルの難易度が得られる。
【０００３】
これまでに、３次元パズルといわれるジグソーパズルが幾つか考案されている。それら３次元パズルの１つは、各種の図形が描かれた６面を有する立方体の部品で、該部品のそれぞれの面に対応する６つの絵を形成するように再び組み合わせることができる立方体の部品からなっている。
【０００４】
別の３次元ジグソーパズルは、水平方向のブラケットと垂直方向のブラケットとからなる３次元の枠を有する。前記ブラケットは複数の穴を有する。柱を備えたパズルの小片は、前記穴に前記柱を差しこむことにより前記ブラケットに取付けられ、３次元の形状にすることができる。
【０００５】
第３の３次元ジグソーパズルには、同じ絵が描かれた複数のシートがある。このシートはジグソーパズルの小片に一致して切断される。前記小片はそれぞれ異なる枚数のシートに接着されている。それにより、前記小片は異なる厚さを有し、前記絵は３次元効果を生じるように前記小片によって再生される。
【０００６】
【発明が解決しようとする課題】
しかし、従来のジグソーパズルはいずれも、小片の組み合わせによる２次元の絵しか提供しない。そのようなジグソーパズルには真の３次元効果がない。
【０００７】
３次元効果を与えるために、本発明は、上記の問題点を緩和し回避するようなジグソーパズルを提供する。
【０００８】
本発明の主な目的は、真の３次元効果を有し、３次元ジグソーパズル内部に嚢のような補助手段を使用しないジグソーパズルを提供することにあり、前記ジグソーパズルを組み立てる困難度は、小片の量によって増すのみでなく、３次元ジグソーパズルを形成し維持することによっても増す。
【０００９】
【問題を解決するための手段】
本発明にかかる３次元ジグソーパズルは、複数の小片からなる球体の３次元ジグソーパズルであって、各小片は、上方側縁部及び下方側縁部を有する側面と、突出部及び切欠部とを有し、前記球体の半径は前記下方側縁部及び上方側縁部を経過し、隣接する２つの前記小片の突出部と切欠部とは互いに対応し、全小片が組み合わされたとき前記球体が形成される。各小片は単一の厚さを有する。
【００１０】
【発明の実施の形態】
図１、２を参照するに、本発明による３次元ジグソーパズルは、複数の小片２からなる球体１である。各小片２は単一の厚さを有する。各小片は、上方側縁部ａ及び下方側縁部　ｂを有する側面と、突出部及び切欠部とを有し、前記球体の半径は前記下方側縁部　ｂ及び上方側縁部　ａを経過する。各密接して隣接する２つの小片の突出部と切欠部とは互いに対応し、全小片が組み合わされたとき前記球体が形成される。すなわち、図２に示すように、各小片２は上方側縁部　ａと下方側縁部　ｂとにより規定された側面を有し、球体１の中心Ａからの半径は最初に下方側縁部　ｂを次いで上方側縁部　ａを通過する。
【００１１】
別の実施例では、小片２の各々に絵の一部分を描いてもよい。そうすれば、球体１を組み立てるとき、各小片２が遊戯者に球体１全体を形成するための手がかりを与えることができる。
【図面の簡単な説明】
【図１】本発明の３次元ジグソーパズルを示す平面図。
【図２】３次元ジグソーパズルが完全に中空であることを示すため、一部の小片が取り除かれた、図１の３次元ジグソーパズルの斜視図。
【符号の説明】
１　球体
２　小片
ａ　小片の側面の上方側縁部
ｂ　小片の側面の下方側縁部
３　突出部
４　切欠部
【図１】
2004008613.tif 000003
【図２】
2004008613.tif 000004
(57)【要約】【課題】本発明は、搬送時には折り畳んで小形化して梱包できるとともに、工場や販売店等において使用する際は、各種の什器類を重量の軽量や大きさなどにかかわらず、よく収納整理しておくことができる取扱い易い収納具を提供することを目的とする。【解決手段】本発明は、底網板１の周辺に側網板２を折畳み自在に設けて成る篭体６を構成し、この篭体の上端部に枠杆３を設け、定置脚７と立脚８から成る支柱９間に前記篭体を架設して成るものである。さらに、前記支柱間に、篭体とともに網板を架設し、この網板には任意のフックを係止するように成るものである。【選択図】　　図１
2004008626.tif 000002
【特許請求の範囲】
【請求項１】
底網板の周辺に側網板を折畳み自在に設けて成る篭体を構成し、この篭体の上端部に枠杆を設け、定置脚と立脚から成る支柱間に前記篭体を架設して成ることを特徴とする什器類収納具。
【請求項２】
前記支柱間に、篭体とともに網板を架設して成る請求項１に記載した什器類収納具。
【請求項３】
前記網板に任意のフックを係止するように成る請求項２に記載した什器類収納具。
【発明の詳細な説明】
【０００１】
【発明の属する技術分野】
本発明は、各種什器類の収納具に関するものである。
【０００２】
【従来の技術】
従来、工場や販売店等においては、各種の什器類を収納整理しておく器具が普及しているとはいえず、取扱いしにくい実用性の低いものしか存していなかった。
【０００３】
【発明が解決しようとする課題】
そこで、本発明は、工場のみならず、販売店などにおいても、各種の什器類を重量の軽重や大きさなどにかかわらず、常に良好に整理しておける取扱いし易い器具を提供することを目的とする。
【０００４】
【課題を解決するための手段】
本発明は、底網板の周辺に側網板を折畳み自在に設けて成る篭体の上端部に枠杆を固着し、定置脚と立脚から成る支柱間に前記篭体を架設して成るものである。
【０００５】
また、前記のように成る支柱間に篭体とともに網板を架設し、この網板に任意のフックを係止し得るように成るものである。
【０００６】
【発明の実施の形態】
工場から搬送するために梱包するときは、図１又は図５に示すような各構成部品のうち、まず組み立てて篭体と成る十文字状に展開している側網板を、中心部の底網板上に折り畳んで互いに重ね合わせるようにする。
【０００７】
したがって、使用者は梱包を解いた後に、図２，図３に示すように、各側網板を開きかつ枠杆を取付けて篭体を組み立てた後、篭体を支柱の左右の立脚間に上下二段に螺着して架設する。この際、支持板も左右立脚の中間部に架設する。全体を組み立てて完成したものは図４に示している。
【０００８】
図４においては、上段の篭体の前側網板にはパネルを取付けているが、このパネルには上下の篭体に収納する什器類についての説明を表示したり、自由に書き込みして使用すればよいし、場合によってはパネルは取外しておいてもよい。
【０００９】
図４に示した器具の場合は、例えば下段篭体には比較的重量のある什器類を、上段篭体には比較的軽量の什器類を収納する。
【００１０】
図５乃至図７においては、篭体は支柱の立脚の下側部間に架設し、その上側部には網板を架設した例であるが、この網板の網目には任意のフックを係止し、このフックの前面板には任意のネームプレート等を貼付する。
【００１１】
【実施例】
１は四角形の底面部を構成する底網板で、この底網板の四側面部には側網板２，２，２，２を枢着し、全網板は折畳みし得るように成る。
【００１２】
３は前記底網板１の四側面部に直立する側網板２，２，２，２の各上端部を固定する枠杆で、この枠杆の角隅部には取付片４，４，４，４を設け、この各取付片にはビス５，５，５，５を通して全体を篭体６に組立てるようにする。
【００１３】
以上のような篭体６に組立てる全網板と枠杆とは、上下段用に複数組を用意してもよいし、下段に単数組を用意してもよい。（図１乃至図４と図５乃至図７とは異なる実施例を示す。）
【００１４】
７，７は定置脚で、この定置脚の一端部には垂直の立脚８，８を立設し、これによって支柱９を構成する。
【００１５】
１０は前記左右の立脚８，８間に架設する支持板で、この支持板は支柱９の全体を補強する。
【００１６】
１１は前記定置脚７，７の各端部に設けるキャスターである。
【００１７】
１２は前記上段の篭体６の前側網板２に取付けたパネルで、このパネルには任意の文字表示をするが、取外しておいてもよい。
【００１８】
１３は前記支柱９の立脚８，８の上側部間に架設する網板で、この網板の各網目の縦横の大きさは、前記底網板１及び側網板２の網目のそれよりも大きく成る。
【００１９】
１４は前記網板１３の網目に係止するフックで、このフックには任意形状の線材１５を突設し、ネームプレート１７等を貼付する面板１６を設ける。
【００２０】
１８は前記網板１３の上側部に適当手段によって取付けるパネルであり、これには任意の文字表示をする。
【００２１】
【発明の効果】
本発明は、第１に、立体的に構成して使用する什器類の収納具であって、製造工場からの搬送時にはこの全体を折り畳んで小形化して梱包することができるから、輸送時コストを軽減することができるし、この組立ては容易かつ迅速に行うことができるものである。
【００２２】
第２に、収納しておく什器類を篭体によく区分し整理しておくことができるから、保管時でも使用時でも、きわめて取扱いし易いものとなる。
【図面の簡単な説明】
【図１】一例の全体の構成部品を示した分解斜視図
【図２】要部の組み立て状態を示した斜視図
【図３】全体の組み立て時の各部の関係を示した斜視図
【図４】全体の組み立て後の斜視図
【図５】他例の全体の構成部品を示した分解斜視図
【図６】全体の組み立て時の各部の関係を示した斜視図
【図７】全体の組み立て後の斜視図
【符号の説明】
１　　　　　　　　底網板
２，２，２，２　　側網板
３　　　　　　　　枠杆
６　　　　　　　　篭体
７，７　　　　　　定置脚
８，８　　　　　　立脚
９　　　　　　　　支柱
１３　　　　　　　網板
１４　　　　　　　フック
【図１】
2004008626.tif 000003
【図２】
2004008626.tif 000004
【図３】
2004008626.tif 000005
【図４】
2004008626.tif 000006
【図５】
2004008626.tif 000007
【図６】
2004008626.tif 000008
【図７】
2004008626.tif 000009
(57)【要約】【課題】幼児等が包丁を包丁立てから取り出すことを防止する．【解決手段】支持体（１）に収納ケース（５）を固定し、該収納ケースの上端（５ａ）にスリット（７）を形成し、該スリットより収納ケース内に包丁（９）の刃部（１１）を挿入し、包丁の柄部（１３）の下端（１３ａ）を該スリットに係止させることにより柄部を収納ケースより上方に露出させた状態で包丁を支持するようにしてなる包丁立てにおいて、該支持体には上端に包丁出し入れ用開口部（２１ａ）を備えたカバー（２１）を該収納ケースより露出する包丁の柄部を覆わせた状態で取り付けたことを特徴とする包丁立て用安全カバー。【選択図】　図１
2004008675.tif 000002
【特許請求の範囲】
【請求項１】
支持体に収納ケースを固定し、該収納ケースの上端にスリットを形成し、該スリットより収納ケース内に包丁の刃部を挿入し、包丁の柄部の下端を該スリットに係止させることにより柄部を収納ケースより上方に露出させた状態で包丁を支持するようにしてなる包丁立てにおいて、
該支持体には上端に包丁出し入れ用開口部を備えたカバーを該収納ケースより露出する包丁の柄部を覆わせた状態で取り付けたことを特徴とする包丁立て用安全カバー。
【発明の詳細な説明】
【０００１】
【発明の属する技術分野】
本発明は、包丁立て用安全カバーに関するものであり、更に詳しくは、例えば台所の流し台における扉の内側等に設けられている包丁立てに柄部を露出させた状態で立てられている包丁の該柄部を覆わせることにより幼児等が包丁立てから包丁を取り出すことを防止するようにした包丁立て用安全カバーに係るものである。
【０００２】
【従来の技術】
図、図２に示すように、例えば台所の流し台における扉１の内側等には包丁立て３が設けられている。この包丁立て３は、扉１の内側に収納ケース５を固定し、該収納ケース５の上端５ａにスリット７を形成し、該スリット７より収納ケース５内に包丁９の刃部１１を挿入し、包丁９の柄部１３の下端１３ａを該スリット７に係止させることにより柄部１３を収納ケース５より上方に露出させた状態で包丁９を支持するようにしてなるものである。包丁９を使用する際には、収納ケース５より露出している柄部１３を把持して包丁９を収納ケース５より引き抜くのである。
【０００３】
【発明が解決しようとする課題】
しかして、上記従来の包丁立てにおいては、包丁９の柄部１３が収納ケース５より上方に露出しているため、幼児等が台所の流し台における扉１を開け、包丁の９柄部１３を手に持って該包丁９を収納ケース５から引き抜くおそれがある。蓋し、幼児等は母親等が台所の流し台における扉１を開け、包丁９を包丁立て３の収納ケース５から取り出して使用するところをしばしば見ており、このような幼児等が該母親等の真似をして包丁９を収納ケース５から引き抜くおそれがあることは想像に難くないのである。
【０００４】
幼児等が包丁を包丁立てから取り出してこれを持ち歩くことは極めて危険であり、重大な事故を招来するおそれがある。
【０００５】
このような状況に鑑み、本発明は、幼児等が包丁を包丁立てから取り出すことを防止するために、包丁立て用安全バーを提供するものである。
【０００６】
【課題を解決するための手段】
上記課題を解決するために、本発明は、包丁立てに柄部を露出させた状態で立てられている包丁の該柄部を覆わせるようにした包丁立て用安全バーを提供するものである。
【０００７】
即ち、本発明は、支持体に収納ケースを固定し、該収納ケースの上端にスリットを形成し、該スリットより収納ケース内に包丁の刃部を挿入し、包丁の柄部の下端を該スリットに係止させることにより柄部を収納ケースより上方に露出させた状態で包丁を支持するようにしてなる包丁立てにおいて、
該支持体には上端に包丁出し入れ用開口部を備えたカバーを該収納ケースより露出する包丁の柄部を覆わせた状態で取り付けたことを特徴とする包丁立て用安全カバーを提供するものである。
【０００８】
【作用】
包丁立ての収納ケースより上方に露出する包丁の柄部はカバーにより覆われているため、幼児等が包丁立てに接近したときでも、包丁の柄部は幼児等には見えない状態にあり、包丁の柄部に幼児等の手が直接触れるおそれはない。従って、幼児等が包丁を包丁立てから取り出すおそれはない。
【０００９】
母親等が包丁を使用する際には、カバー上端の包丁出し入れ用開口部より収納ケースに対し包丁の出し入れを行なうのである。
【００１０】
【発明の実施の形態】
次に、本発明の実施の形態を添付図面に従って説明する。
【００１１】
まず、本発明が適用される包丁立てについて説明する。この包丁立ては前記従来の包丁立てと同様のものであるため、前記従来の包丁立てと同様の部分、部材等については前記従来の包丁立てにおけるものと同じ符号を付して説明する。
【００１２】
包丁立て３は、例えば台所の流し台における扉等の支持体１に収納ケース５を固定し、該収納ケース５の上端５ａにスリット７を形成し、該スリット７より収納ケース５内に包丁９の刃部１１を挿入し、包丁９の柄部１３の下端１３ａを該スリット７に係止させることにより柄部１３を収納ケース５より上方に露出させた状態で包丁９を支持するようにしてなるものである。
【００１３】
前記支持体１には上端に包丁出し入れ用開口部２１ａを備えたカバー２１を収納ケース５より露出する包丁９の柄部１３を覆わせた状態で取り付ける。
【００１４】
カバー２１は、一例として断面略コ字状体とし、不透明な合成樹脂により形成する。カバー２１は、収納ケース５より露出する包丁９の柄部１３の全体を覆うものであるが、好ましくは包丁９の柄部１３の全体と収納ケース５の上部とを覆うとように取り付ける。カバー２１は好ましくは接着剤ないし粘着剤２２により支持体１に固定する。なお、図２における符号２３に示すものは支持体１としての扉に設けられた取っ手である。
【００１５】
【発明の効果】
以上説明したように、本発明によれば、包丁立ての収納ケースより上方に露出する包丁の柄部はカバーにより覆われているため、幼児等が包丁立てに接近したときでも、幼児等が包丁の柄部を手に持つことが防止される。従って、幼児等が包丁を包丁立てから取り出すおそれはない。換言すれば、幼児等が包丁を包丁立てから取り出してこれを持ち歩くことによる危険が排除される。
【図面の簡単な説明】
【図１】本発明による包丁立て用安全カバーの一例を示す斜視図である。
【図２】同上包丁立て用安全カバーの断面図である。
【符号の説明】
１　支持体
３　包丁立て
５　収納ケース
５ａ　上端
７　スリット
９　包丁
１１　刃部
１３　柄部
１３ａ　下端
２１　カバー
２１ａ　包丁出し入れ用開口部
２２　接着剤ないし粘着剤
２３　取っ手
【図１】
2004008675.tif 000003
【図２】
2004008675.tif 000004